(57)【特許請求の範囲】
【請求項１】
室内側召合わせ框と、室外側召合わせ框とを備え、室内側召合わせ框及び室外側召合わせ框のうちの一方の召合わせ框は長手方向にタイト材と水切り材とを有し、水切り材は外気に対面しタイト材は内気に対面して配置してあり、他方の召合わせ框の見付面には凹部を設けて溝が形成してあり、水切り材は他方の召合わせ框に向けて突設し且つ先端が他方の召合わせ框の見付面の溝内に位置しており、タイト材は先端が他方の召合わせ框に当接していることを特徴とする引き窓。
【請求項２】
水切り材は、弾性変形可能であることを特徴とする請求項１に記載の引き窓。
【発明の詳細な説明】
【技術分野】
【０００１】
本発明は、引き違い窓や片引き窓等の引き窓に関する。
【背景技術】
【０００２】
特許文献１には、室外側召合わせ框に召合わせ框の長手方向に２つのタイト材を設け、一方のタイト材は外気側に位置し他方のタイト材は内気側に位置して、２つのタイト材が各々室内側召合わせ框に当接することが開示されている。
【０００３】
【特許文献１】特開平５−３２１５３７号公報
【発明の開示】
【発明が解決しようとする課題】
【０００４】
しかし、タイト材の先端が何れも召合わせ框に当接している為に、毛細管現象によりタイト材と召合わせ框との間に雨水を保水したり、又は下に落ちた雨水を引き上げてしまい、それらの雨水が風圧により内気側のタイト材に向けて吹き込むと共に内気側のタイト材のめくれ返りにより室内側に入り込むことがある。
また、外気側のタイト材の経年劣化により、タイト材と召合わせ框との間に隙間が発生し、内気側のタイト材に向けて雨水が強く吹き込んで室内側に入り込むおそれがある。
【０００５】
そこで、本発明は、室内側召合わせ框と室内側召し合わせ框との間から雨水が室内側に入り込むのを防止できる引き窓の提供を目的とする。
【課題を解決するための手段】
【０００６】
請求項１に記載の発明は、室内側召合わせ框と、室外側召合わせ框とを備え、室内側召合わせ框及び室外側召合わせ框のうちの一方の召合わせ框は長手方向にタイト材と水切り材とを有し、水切り材は外気に対面しタイト材は内気に対面して配置してあり、他方の召合わせ框の見付面には凹部を設けて溝が形成してあり、水切り材は他方の召合わせ框に向けて突設し且つ先端が他方の召合わせ框の見付面の溝内に位置しており、タイト材は先端が他方の召合わせ框に当接していることを特徴とする。
請求項２に記載の発明は、請求項１に記載の発明において、水切り材は、弾性変形可能であることを特徴とする。
【発明の効果】
【０００７】
請求項１に記載の発明によれば、召合わせ框の溝内には水切り材の先端が位置することにより外気側からタイト材側に向かう通路にジグザグ路が形成されるので、外気側から水切り材が風雨を受けると、雨水が水切り材又は溝の内面に当って下方に流れ落ち、雨水が溝を越えてタイト材側に入り込むのを防止する。
水切り材の先端は他方の召合わせ框に当接していないから、下に流れ落ちた水を毛細管現象により引き上げたり、水切り材と召合わせ框との間に雨水を保水したりすることがなく、たとえ水切り材が風圧を受けて変形した場合でもタイト材に向けて雨水が飛散するのを防止できる。
水切り材の先端は他方の召合わせ框の溝内に位置してジグザグ路を形成しており、外気はこのジグザグ路により風圧が抑制され、タイト材が外気の風圧を直接受け難いので、タイト材のめくれ返りにより雨水が室内側に入り込むのを防止できる。
請求項２に記載の発明によれば、請求項１に記載の作用効果を奏すると共に、室内側召合わせ框と室外側召合わせ框とを左右いずれにもすれ違いにして窓の開閉ができる。
【発明を実施するための最良の形態】
【０００８】
以下に、添付図面を参照して本発明の実施の形態を説明する。図１は本発明の実施の形態に係る引き窓の横断面図であり、図２は本実施の形態に係る引き窓を図１のＡ−Ａ位置で切断した縦断面図である。
本実施の形態に係る引き窓１は、２本引き３枚建の引き違いサッシであり、２枚の室内側障子３ａ、３ｂと、１枚の室外側障子５とを備えており、室外側障子５の左右縦框が各々室外側召合わせ框７になっている。２枚の室内側障子３ａ、３ｂは、一方の障子（室内側から見て左側障子）３ａは、右側の竪框が室内側召し合わせ框９になっており、他方の障子（室内側から見て右側障子）３ｂは、左側の竪框が室内側召合わせ框９になっている。
室外側障子５の左右の室外側召合わせ框７と、各室内側障子３ａ、３ｂの室内側召合わせ框９とは略同じ構成であるから、一方の室外側召合わせ框７と一方の室内側召合わせ框９とについて説明し、他方の室外側召合わせ框と他方の室内側召合わせ框については、同一の作用効果を奏する部分に同一の符号を付することにより、その部分の説明を省略する。
室内側召合わせ框（一方側召合わせ框）９には、タイト材１１と、水切り材１３とが各々召合わせ框９の長手方向に取付けてある。水切り材１３は外気に対面し、タイト材１１は内気に対面して、タイト材１１と水切り材１３とは間隔をあけて並んで配置している。
室外側召合わせ框（他方の召合わせ框）７には水切り材１３との対向部に溝１５が形成されている。溝１５の開口にはタイト材１１側の位置に溝１５の開口を狭めるように突設する凸部１６が形成されている。
水切り材１３は軟質樹脂製であり、室外側召合わせ框７に向けて突設して、先端１３ａが溝１５内に位置している。
尚、本実施の形態では室内側召合わせ框９は召合わせ框本体９ａと押縁１７とから構成されており、召合わせ框本体９ａと押縁１７との当接部１９を水切り材１３が覆って、当接部１９からの雨水の浸入を防止している。
【０００９】
次に、本実施の形態に係る引き窓１における作用及び効果について説明する。
室内側召合わせ框７と室外側召合わせ框９との間では、溝１５と水切り材１３とで外気側から吹き付ける雨水の水切りを行い、タイト材１１により室外と室内との間を気密に保持する。
即ち、溝１５と水切り材１３との間では、溝１５内に外気側からタイト材側にジグザグ路２１（図１に一点鎖線で抜き出して示す部分に矢印で示す）が形成されるので、外気側から水切り材１３が風雨を受けると、ジグザグ路２１内で雨水が水切り材１３又は溝内面１５ａに当って下方に流れ落ち、雨水が溝１５を越えてタイト材１１側に入り込むのを防止する。
更に、溝１５の開口には、タイト材側から開口を狭めるように凸部１６が突設しているので、溝１５からタイト材１１側へ雨水が吹き込み難い。
水切り材１３の先端１３ａは室外側召合わせ框（他方の召合わせ框）７に当接していないから毛細管現象を起こすことがなく、室内側召合わせ框９と室外側召合わせ框７との間で下に流れ落ちた水を毛細管現象により汲み上げたり、水切り材１３と室外側召合わせ框７との間に雨水を保水したりすることがない。
また、水切り材１３の先端１３ａは室外側召合わせ框（他方の召合わせ框）７の溝１５内に位置してジグザグ路２１を形成しており、外気はこのジグザグ路２１により風圧が抑制され、タイト材１１が外気の風圧を直接受け難いのでタイト材１１のめくれ返りにより雨水が室内側に入り込むのを防止できる。
【００１０】
本発明は、上述した実施の形態に限らず、本発明の要旨を逸脱しない範囲で種々変形可能である。
例えば、本発明は引き違い窓の室内側召合わせ框９と室外側召合わせ框７とに適用することに限らず、片引き窓や、引き分け窓や、引き込み窓の室内側召合わせ框と室外側召合わせ框に用いるものであってもよい。
水切り材１３及びタイト材１１は室外側召合わせ框７に設け、室内側召合わせ框９には水切り材１３との対向部に召合わせ框の長手方向の溝１５を設けるものであってもよい。
水切り材１３は弾性変形するものであれば良く、材質は軟質樹脂材に限らない。
溝１５の開口には凸部１６を設けないものであってもよい。
【図面の簡単な説明】
【００１１】
【図１】本発明の実施の形態に係る引き窓の横断面図である。
【図２】本実施の形態に係る引き窓を図１のＡ−Ａ位置で切断した縦断面図である。
【符号の説明】
【００１２】
１      引き窓
７      室外側召合わせ框
９      室内側召合わせ框
１１    タイト材
１３    水切り材
１３ａ  先端
１５    溝
【図１】
0004676917.tif 000002
【図２】
0004676917.tif 000003